(57)【要約】      （修正有）【課題】気密、防音、調湿を保つ一つの部屋で側面、天井、床に複合機能性桐板材を使用した個室部屋体に関し、容易に組み立て可能で、意匠の桐板材利用した引き戸、或いは天井、或いは側板，或いは床板からなっている簡易組み立て複合機能性桐板材からなる個室部屋体を提供する。【解決手段】厚さ３０〜７０ｍｍで中空部に複合羊毛−ポリエステル混紡７を充填した桐材の構成体である中空タイプ構成状態にした中空構成体で、当該構成体の厚さ３０〜７０ｍｍの平厚板状である複合機能性桐板材１を使用して、前記平厚板の両側面にそれぞれ凹部と凸部を取り付けてある複合機能性桐板材１を校倉造り方式で組み立てた、面積として１．３〜４ｍ２である長方体構造であって、前記長方体構造の４側面うち一面の中間位置に開口部を設けて、前記開口部に出入り可能な引き戸１４、又は開き戸を取り付ける桐材の個室部屋体である。【選択図】図１
0003217321.tif 000002
【実用新案登録請求の範囲】
【請求項１】
桐材の組板の構成体である中空タイプ構成状態にした中空構成体は、厚さ３０〜７０ｍｍで中空部に複合羊毛−ポリエステル混紡、又は羊毛、又は綿を充填して、使用している桐材の組板の厚さを１０〜２０ｍｍであって、当該構成体の厚さ３０〜７０ｍｍで、幅１００〜５００ｍｍ、長さ４５０〜２０００ｍｍの平厚板状である複合機能性桐板材を使用して、前記平厚板の両側面にそれぞれ凹部と凸部を取り付けてある複合機能性桐板材を校倉造り方式で組み立てた、縦８００〜２０００ｍｍ、横１６００〜２０００ｍｍ，高さ１６００〜２０００ｍｍの寸法で、面積として１．３〜４ｍ２である長方体構造であり、前記長方体構造の４側面うち一面の中間位置に縦横８００〜１２００ｍｍの幅の開口部を設けて、前記開口部に出入り可能な引き戸、又は開き戸を取り付けることを特徴とする桐材の個室部屋体。
【請求項２】
前記複合機能性桐板材を校倉造り方式で組み立てた長方体構造は、側面を複合機能性桐板材で囲い、天井には二枚のスノコ状目空の桐板を取り付けて、二枚の前記桐板をスライドさせて隙間による明暗調整ができるようなスライド式明かり調整具にして、前記引き戸又は開き戸の下部位置には、収納入れと踏み台になる引き出し部を設けて、前記長方体構造の内部は、底部から３００〜５００ｍｍの高さの位置に床座面にしていることを特徴とする請求項１に記載の桐材の個室部屋体。
【請求項３】
校倉造り方式で組み立てに使用する前記複合機能性桐板材は、構成する桐材板を使用した桐の組板の中空構成体にして、前記構成体の底板上面の長手方向の右端と左端に側板を立設し、両側板の向かい合う面同士の間の底板上面に間仕切を立設した、桐の組板の構成体である中空タイプ構成状態にして、桐材板を使用した桐の組板の中空構成体は、幅１００〜５００ｍｍ、厚さ３０〜７０ｍｍ、長さ４５０〜２０００ｍｍの平厚板状で、前記平厚板間の接合のために、各平厚板の両端から３０〜５０ｍｍに位置にそれぞれ幅３０〜７０ｍｍ、深さ５０〜２５０ｍｍの凹切り込み部を取り付けて、前記複合機能性桐板材の底板上面の長手方向の右端と左端に側板の立設と、両側板の向かい合う面同士の間に間仕切の立設とにおいて、桐材板の厚さに対して、間仕切りの間隔を２５０〜４００ｍｍにして、桐材の組板の中空内部に充填する軽量的断熱・調湿材は、複合羊毛−ポリエステル混紡、又は羊毛、又は綿であって、桐の組板でできている機能性桐板材の内部に充填することを特徴とする請求項１、又は請求項２に記載の桐材の個室部屋体。
【請求項４】
前記個室部屋体の内面積として１．３〜４ｍ２であって、床座面は前記複合機能性桐板材の構成体にして、前記構造体の周囲の１〜２面に複合機能性桐板材を使用した片側型引き戸、または開き戸にして、静寂雰囲気で日本式作法の茶道、華道、書道、及び仮眠的睡眠、及び精神統一できる静寂気分状態にできる広さの遮音的静寂部屋になっていることを特徴とする請求項１〜請求項３のいずれかに記載の桐材の個室部屋体。
【考案の詳細な説明】
【技術分野】
【０００１】本考案は、静寂雰囲気で茶道、華道、書道などの日本式作法、及び仮眠的睡眠、及び精神統一できる静寂気分状態、及び音楽の練習、演奏ができる、気密、防音、調湿を保つ一つの部屋で側面に複合機能性桐板材を使用した構造体に関し、容易に組み立て可能で、意匠の桐板材利用した引き戸、或いは側板からなっている桐材の個室部屋体に関する。
【背景技術】
【０００２】保温効果が高く且つ、健康の維持及び増進を図ることができる温暖室において、部屋部と、部屋部の室内を加温するヒータとを備える温暖室において、室内の床及び天井は桐材で構成し、室内の側壁は桐材と珪藻土材で構成するようにした。珪藻土と石灰とパルプ材とを主成分とし、これらの成分にマイナスイオン水が混入される珪藻土材は桐材を下地材としたパネル体が提案されている（特許文献１参照）。【０００３】負帯電分子発生装置および負帯電分子発生構成部材から選ばれた少なくとも１種を用いることにより、ある一定量以上のマイナスイオンに満たされた癒し効果や、身体の代謝活性効果を奏する部屋を提供するにおいて、部屋は、竹または桐または茶葉の植物系粉末である負帯電分子発生構成部材から選ばれた少なくとも１種からなる部屋であって、該部屋の空気中の負帯電分子の数が、２５０個／ｃｃ以上存在せしめられている。負帯電分子発生構成部材から選ばれた少なくとも１種を用いることで、ある一定量以上のマイナスイオンに満たされることにより、癒し効果や、身体の代謝活性効果を期待できる部屋を提供することが提案されている。（特許文献２参照）。【０００４】敷布団が水分を吸収しても速やかに吸収水分を取り除け、常時乾燥状態での利用を可能とし、また、有毒物質の吸収やマイナスイオン発生効果等を併せ持ち、部屋の雰囲気の改善を図ることで、接触可能面を構成する複数の小孔の配設された上部板である桐板材と、桐板材より所定距離離間した下部に配設される通気性を有する小孔の配設された底部部材と、底部部材下面が生活空間の床より所定距離離間して通気層を形成する足部材と、底部部材と桐板材間に配置された活性炭袋とで構成され、桐板材は周囲側枠の上部、凸部の上に開閉自在に載置されていることが提案されている（特許文献３参照）。【０００５】  家屋の壁面または床面若しくは天井面に対して張設するための桐板製内装材に関するものであって、桐材が奏する吸湿性、保温性に基づき快適なる部屋空間がかもしだされると同時に、改修時の利用に際して、既存の壁材、床材、天井材の上から直接張設することが出来るようにしたもので、桐の一枚板を所定の幅及び長さに裁断して形成した内装材主体の下面に、既存の床材または壁材若しくは天井材に対する密着性阻止と空気流通路形成のためのスペーサーを点在させるように構成した内装材が提案されている（特許文献４参照）。【０００６】日本的様式をもって、木製の格子状基本ユニットを格子棒にて中心部に万字模様を持つ障子型戸、天井で囲まれた部屋で簡単に組み立てられている構造体を形成して、しかも格子組子になった意匠性組子模様の障子型戸・天井で囲まれた組み立て構造物で、部屋面積として２畳〜８畳の広さで、木材の通し柱と梁の横架材を、仕口、ホゾにより接合し、天井に垂木を構成する構造体であって、通し柱４〜８本、内障子（溝レール入）鴨居柱４〜８本、溝レール入敷居柱４〜８本によって簡単に組み立てできて、木材製角状格子で内部に万字模様で仕立てた組子体からなる障子型戸を、構造体の側周囲の２〜４面に、天井に一辺４００〜１０００ｍｍの正方体、又は長方体の格子組子で構成された枠体を縦横二方向に４〜１６組を嵌め込んで形成され���いる簡易組み立て組子枠体からなる構造体が提案されている（特許文献５参照）。【０００７】紙のように薄い薄板を構成要素としたユニット板で多層化された断熱遮音板が設けられ、季節の変化によって変形しない多層ユニット板で構成されていて、空気層が設けられており、僅かな種類の大きさのユニット板によって、通常使用される障子が作られ、全厚の厚いユニット板を手軽に着脱でき、簡単に拭き掃除ができるとともに、障子の骨組と断熱遮音板との間は、埃の溜まらない密着構成となっており、障子の骨組と骨組との間は、斑なく明るく、意匠的選択性とインテリア性に優れているうえ、容易に障子の丈が調節できるものが提案されている（特許文献６参照）。【０００８】桐材を使用した部屋として製作された壁面の一部は、よく知られており、また桐材入りの、戸も存在しているが、固定的に設置されているものであり、これら桐材の複合機能性桐板材によって、戸、或は天井、壁面を持つ部屋構造で、簡易組み立てできる構造体は全く存在しない。またホテル、博物館などの広いロビーなどに設置した展示物とした置物については存在していない。
【先行技術文献】
【特許文献】
【０００９】
【特許文献１】特開２００４−４９７２７号公報
【特許文献２】特開２００３−１０３３６号公報
【特許文献３】特開２００１−１３７２９３号公報
【特許文献４】実用新案登録第３００３７０２号公報
【特許文献５】実用新案登録第３２０５２２１号公報
【特許文献６】特開平７−２３８７４８号公報
【考案の概要】
【考案が解決しようとする課題】
【００１０】一般に桐材は、有毒物質の吸収やマイナスイオン発生効果等を併せ持ち、部屋の雰囲気の改善を図ることが知られている。上記の桐木材製の複合機能性桐板材からなる部屋は、静寂雰囲気で茶道、華道、書道などの日本式作法、及び仮眠的睡眠、及び精神統一できる静寂気分状態、及び音楽の練習、演奏ができる、気密、防音、調湿を保つ一つの部屋で、容易に組み立て可能で、意匠の桐板材利用した引き戸、或いは側板からなっている簡易組み立て桐材の個室部屋体が求められている。【００１１】上記の構造体は、床、天井・壁面ユニットと部分的に取り付けられているが、これら複合機能性桐板材の製作にて大量生産にはほど遠い状況にあった。即ち、複合機能性桐板材の材料の適正化などの吟味並びに木工での大工工事に高度な技術と熟練を必要とすること。天然木素材の欠点として反り、腐食、カビ等が発生すること。桐材の工作出来る職人は長期間の奉公による修行が必要であるため熟練工が少なくなり、従って製品が高価である。【００１２】また大部屋、或いはホールの装飾と特殊機能として、壁面に複合機能性桐板材の構造体を取り付けているが、マイナスイオン発生効果等を持つ桐材の部屋は、仮眠的睡眠、及び精神統一できる静寂気分状態になる部屋を構成してものが期待されている。室内のデザインが、益々多様に高度化されつつ、それ等に負けない様により魅力的な桐材の自然体の意匠性のものを移動して組み立てられる場所が求められている。そこで、本考案の目的は、部屋として複合機能性桐板材の構造体に、床面、側面、天井面を取り付けられる組み立て式構造体を構成して、既存のものに比べてより魅力的に、個性的にデザインされた精神的雰囲気をもたらせる桐材の個室部屋体を提供するにある。【００１３】本考案は、上述のような課題に対処すべく鋭意検討の結果、提案するに至ったもので、複合機能性桐板材の構造体で、戸、壁板を持つ部屋構造で、取り外しが容易で、簡単に組み立てが可能である複合機能性桐板材の構造体、及び天井に嵌め込み結合することにより、一つの部屋として設置できる構造体を、小型で、しかも比較的安価に大量生産が可能な意匠的模様の簡易組み立て複合機能性桐板材からなる構造体を提供することを目的とするものである。
【課題を解決するための手段】
【００１４】桐材の組板の構成体である中空タイプ構成状態にした中空構成体は、厚さ３０〜７０ｍｍで中空部に複合羊毛−ポリエステル混紡、又は羊毛、又は綿を充填して、使用している桐材の組板の厚さを１０〜２０ｍｍであって、当該構成体の厚さ３０〜７０ｍｍで、幅１００〜５００ｍｍ、長さ４５０〜２０００ｍｍの平厚板状である複合機能性桐板材を使用して、前記平厚板の両側面にそれぞれ凹部と凸部を取り付けてある複合機能性桐板材を校倉造り方式で組み立てた、縦８００〜２０００ｍｍ、横１６００〜２０００ｍｍ，高さ１６００〜２０００ｍｍの寸法で、面積として１．３〜４ｍ２である長方体構造であり、前記長方体構造の４側面うち一面の中間位置に縦横８００〜１２００ｍｍの幅の開口部を設けて、前記開口部に出入り可能な引き戸、又は開き戸を取り付ける桐材の個室部屋体である。【００１５】前記複合機能性桐板材を校倉造り方式で組み立てた長方体構造は、側面を複合機能性桐板材で囲い、天井には二枚のスノコ状目空の桐板を取り付けて、二枚の前記桐板をスライドさせて隙間による明暗調整ができるようなスライド式明かり調整具にして、前記引き戸又は開き戸の下部位置には、収納入れと踏み台になる引き出し部を設けて、前記長方体構造の内部は、底部から３００〜５００ｍｍの高さの位置に床座面にしている桐材の個室部屋体である。【００１６】校倉造り方式で組み立てに使用する前記複合機能性桐板材は、構成する桐材板を使用した桐の組板の中空構成体にして、前記構成体の底板上面の長手方向の右端と左端に側板を立設し、両側板の向かい合う面同士の間の底板上面に間仕切を立設した、桐の組板の構成体である中空タイプ構成状態にして、桐材板を使用した桐の組板の中空構成体では、幅１００〜５００ｍｍ、厚さ３０〜７０ｍｍ、長さ４５０〜２０００ｍｍの平厚板状で、前記平厚板間の接合のために、各平厚板の両端から３０〜５０ｍｍに位置にそれぞれ幅３０〜７０ｍｍ、深さ５０〜２５０ｍｍの凹部切り込みを取り付けて、前記複合機能性桐板材の底板上面の長手方向の右端と左端に側板の立設と、両側板の向かい合う面同士の間に間仕切の立設とにおいて、桐材板の厚さに対して、間仕切りの間隔を２５０〜４００ｍｍにして、桐材の組板の中空内部に充填する軽量的断熱・調湿材は、複合羊毛−ポリエステル混紡、又は羊毛、又は綿であって、桐の組板でできている機能性桐板材の内部に充填する。【００１７】前記個室部屋体の内面積として１．３〜４ｍ２であって、床座面は前記複合機能性桐板材の構成体にして、床座面の上面に桐床又は畳敷き、前記構造体の周囲の１〜２面に複合機能性桐板材を使用した片側型引き戸、または開き戸にして、静寂雰囲気で日本式作法の茶道、華道、書道、及び仮眠的睡眠、及び精神統一できる静寂気分状態にできる広さの遮音的静寂部屋になっている。
【考案の効果】
【００１８】気密、防音、調湿を保つ一つの部屋で側面、天井、床に複合機能性桐板材を使用した桐材の個室部屋体において、マイナスイオン発生効果によって、静寂雰囲気で茶道、華道、書道などの日本式作法、及び仮眠的睡眠、及び精神統一できる静寂気分状態、及び音楽の練習、演奏ができる、またこの桐材の個室部屋体が、容易に組み立て可能で、意匠の桐板材利用した引き戸または開き戸、或いは側板からなっている簡易組み立て複合機能性桐板材からなるとなった。【００１９】本考案に係る簡易組み立て複合機能性桐板材からなる個室部屋体は、一つの部屋として設置できる構造物として、桐材の表面で内観、外観的には自由なデザインが任意に形成でき、天井、壁面を複合機能性桐板材による部屋は、更に桐木材の防菌性、調湿性の材料使用しているために、安全な部屋として木の香りをもたらすとともに、災害時にシェルターの役目もあり、さらに部屋内で精神的に落ち着いた気持ちと雰囲気になった。茶道、華道に落ち着いた様相になった。またホテル、あるいは博物館などの公共設備における広いロビーに日本的様式を示す展示物として、或はイベントなどに使用することができた。【００２０】このように本考案によれば、簡易組み立て複合機能性桐板材からなる個室部屋体は、簡単に戸、天井、壁面に嵌め込んで、部屋の装飾を完成させることができて、組立構造部材は、種々の組子の既製品の組み立てをおこなって生産できるので、軽量・品質に保証できて、多用途パネル材が適切に得られる。また組み立て、解体が容易で、搬送も簡易であるので、ホテルのロビーなどの室内において、展示物として、あるいはイベント会場として、種々の場所に設置が可能である。
【図面の簡単な説明】
【００２１】
【図１】本考案の簡易組み立て複合機能性桐板材からなる個室部屋体を示す斜視図である。
【図２】本考案の複合機能性桐板材の個室部屋体の状態を示す図である。Ａ：平面  Ｂ：正面
【図３】本考案の桐板材の天井構造を示す図である。Ａ：全閉図  Ｂ：半開図  Ｃ：全開図
【図４】本考案の複合機能性桐板材の個室部屋体の引き戸の状態を示す図である。
【図５】本考案の複合機能性桐板材からなる個室部屋体の入室状態（踏み台）を示す図である。
【図６】複合機能性桐板材の状態図である。Ａ：組立図  Ｂ：断面図
【考案を実施するための形態】
【００２２】厚さ３０ｍｍ〜７０ｍｍで中空部に複合羊毛−ポリエステル混紡等を充填した桐材の構成体である中空構成体で、当該構成体の厚さ３０〜７０ｍｍの平厚板状である複合機能性桐板材を使用して、前記平厚板の両側面にそれぞれ凹部と凸部を取り付けてある複合機能性桐板材を校倉造り方式で組み立てた、面積として１．３〜４ｍ２である長方体構造であって、前記長方体構造の４側面うち一面の中間位置に開口部を設けて、前記開口部に出入り可能な引き戸、又は開き戸を取り付ける桐材の個室部屋体を製作した。
【実施例１】
【００２３】図１に示すような複合機能性桐板材を校倉造り方式で組み立てた前記長方体構造で、前記開口部に出入り可能な引き戸、を取り付ける桐材の個室部屋体は、桐材の組板の構成体である中空タイプ構成状態にした中空構成体は、厚さ３０ｍｍで中空部に複合羊毛−ポリエステル混紡を充填して、使用している桐材の組板の厚さを１０ｍｍであって、当該構成体の厚さ３０ｍｍで、幅１５０ｍｍ、長さ９１０ｍｍと１８６０ｍｍの２種類の平厚板状である複合機能性桐板材を使用して、前記平厚板の両側面にそれぞれ１０ｍｍの幅１５ｍｍ深さの凹部と１０ｍｍの幅１５ｍｍ高さの凸部を取り付けてある複合機能性桐板材を校倉造り方式で組み立てた、縦８５０ｍｍ、横１８６０ｍｍ，高さ１８００ｍｍの寸法で、面積として１．６ｍ２である長方体構造であり、前記長方体構造の４側面うち一面の中間位置に縦８２０ｍｍ、横９００ｍｍの幅の開口部を設けて、前記開口部に出入り可能な引き戸を取り付ける桐材の個室部屋体にした。【００２４】前記複合機能性桐板材を校倉造り方式で組み立てた長方体構造は、図２に示すように側面を複合機能性桐板材で囲い、図２Ａで示すように天井には二枚のスノコ状目空の桐板を取り付けて、二枚の前記桐板をスライドさせて隙間による明暗調整ができるようなスライド式明かり調整具にして、前記引き戸の下部位置には、図４に示すように収納入れ（５）と踏み台（６）になる引き出し部を設けて、前記長方体構造の内部は、底部から４５０ｍｍの高さの位置に床座面にしている桐材の個室部屋体にした。また明かりの調節は、図３に示すように、Ａでは全閉、Ｃでは全開にしてスノコ板のスライドによって、Ｂのような明暗を調節するようにした。【００２５】校倉造り方式で組み立てに使用する前記複合機能性桐板材は、構成する桐材板を使用した桐の組板の中空構成体にして、前記構成体の底板上面の長手方向の右端と左端に側板を立設し、両側板の向かい合う面同士の間の底板上面に間仕切を立設した、桐の組板の構成体である中空タイプ構成状態にして、桐材板を使用した桐の組板の中空構成体では、厚さ３０ｍｍで、幅１５０ｍｍ、長さ９１０ｍｍと１８６０ｍｍの２種類の平厚板状で、図６に示すように前記平厚板間の接合のために、各平厚板の両端から３０ｍｍに位置にそれぞれ幅３０ｍｍ、深さ７５ｍｍの凹部切り込みを取り付けて、前記複合機能性桐板材の底板上面の長手方向の右端と左端に側板の立設と、両側板の向かい合う面同士の間に間仕切の立設とにおいて、間仕切りの間隔を長さ９１０ｍｍの場合には２００ｍｍ、１８６０ｍｍの場合３００ｍｍにして、桐材の組板の中空内部に充填する軽量的断熱・調湿材は、複合羊毛−ポリエステル混紡であって、桐の組板でできている機能性桐板材の内部に十分に充填した。【００２６】図５に示すように、前記個室部屋体の内面積として１．６ｍ２であって、床座面は前記複合機能性桐板材の構成体にして、床座面の上面に畳敷き、前記構造体の周囲の１面に複合機能性桐板材を使用した片側型引き戸にして、静寂雰囲気で日本式作法の茶道、華道、書道、及び仮眠的睡眠、及び精神統一できる静寂気分状態にできる広さの遮音的静寂部屋になった。また一時的に精神統一、或いは瞑想できる個室的部屋になった。
【実施例２】
【００２７】実施例１と同様に、複合機能性桐板材を校倉造り方式で組み立てた前記長方体構造で、前記開口部に出入り可能な引き戸、を取り付ける桐材の個室部屋体を製作した。
桐材の組板の構成体である中空タイプ構成状態にした中空構成体は、厚さ３５ｍｍで中空部に複合羊毛−ポリエステル混紡を充填して、使用している桐材の組板の厚さを１０ｍｍであって、当該構成体の厚さ３５ｍｍで、幅３００ｍｍ、長さ１２００ｍｍと１９００ｍｍの２種類の平厚板状である複合機能性桐板材を使用して、前記平厚板の両側面にそれぞれ１０ｍｍの幅１５ｍｍ深さの凹部と１０ｍｍの幅１５ｍｍ高さの凸部を取り付けてある複合機能性桐板材を校倉造り方式で組み立てた、縦１２００ｍｍ、横１９００ｍｍ，高さ２０００ｍｍの寸法で、面積として２．３ｍ２である長方体構造であり、前記長方体構造の４側面うち一面の中間位置に縦１０００ｍｍ、横１０００ｍｍの幅の開口部を設けて、前記開口部に出入り可能な引き戸を取り付ける桐材の個室部屋体にした。【００２８】前記複合機能性桐板材を校倉造り方式で組み立てた長方体構造は、実施例１と同様で図２に示すように側面を複合機能性桐板材で囲い、図２Ａで示すように広くした天井には二枚のスノコ状目空の桐板を取り付けて、二枚の前記桐板をスライドさせて隙間による明暗調整ができるようなスライド式明かり調整具にして、前記引き戸の下部位置には、図４に示すように収納入れ（５）と踏み台（６）になる引き出し部を設けて、前記長方体構造の内部は、底部から５００ｍｍの高さの位置に床座面にしている桐材の個室部屋体にした。また明かりの調節は、同様に図３に示すように、Ａでは全閉、Ｃでは全開にしてスノコ板のスライドによって、Ｂのような明暗を調節するようにした。【００２９】校倉造り方式で組み立てに使用する前記複合機能性桐板材は、構成する桐材板を使用した桐の組板の中空構成体にして、前記構成体の底板上面の長手方向の右端と左端に側板を立設し、両側板の向かい合う面同士の間の底板上面に間仕切を立設した、桐の組板の構成体である中空タイプ構成状態にして、桐材板を使用した桐の組板の中空構成体では、厚さ３５ｍｍで、幅３００ｍｍ、長さ１２００ｍｍと１９００ｍｍの２種類の平厚板状で、図６に示すように前記平厚板間の接合のために、各平厚板の両端から３５ｍｍに位置にそれぞれ幅３５ｍｍ、深さ１５０ｍｍの凹部切り込みを取り付けて、前記複合機能性桐板材の底板上面の長手方向の右端と左端に側板の立設と、両側板の向かい合う面同士の間に間仕切の立設とにおいて、間仕切りの間隔を長さ１２００ｍｍの場合には２５０ｍｍ、１９００ｍｍの場合３００ｍｍにして、桐材の組板の中空内部に充填する軽量的断熱・調湿材は、複合羊毛−ポリエステル混紡であって、桐の組板でできている機能性桐板材の内部に十分に充填した。【００３０】図５に示すように、前記個室部屋体の内面積として２．３ｍ２であって、床座面は前記複合機能性桐板材の構成体にして、床座面の上面に桐材の畳み模様床、前記構造体の周囲の１面に複合機能性桐板材を使用した片側型引き戸にして、静寂雰囲気で日本式作法の茶道、華道、書道、及び仮眠的睡眠、及び精神統一できる静寂気分状態にできる広さの遮音的静寂部屋になった。
【符号の説明】
【００３１】１．  複合機能性桐板材
２．  校倉造り組み合わせ
３．  スライド式明かり調整具
４．  相欠（あいかき）部分
５．  引き出し
６．  踏み台
７．  断熱・調湿材の複合羊毛ポリエステル混紡、又は羊毛
８．  凹切り込み部
９．  実（さね）と実溝（さねみぞ）
１２．鴨居柱
１３．敷居柱
１４．引き戸
１５．引き戸溝
１６．中空構成体の凹部
１７．中空構成体の凸部
１８．敷居溝
１９．開口部
２０．桐材
２１．間仕切り
２２．畳敷き
【図１】
0003217321.tif 000003
【図２】
0003217321.tif 000004
【図３】
0003217321.tif 000005
【図４】
0003217321.tif 000006
【図５】
0003217321.tif 000007
【図６】
0003217321.tif 000008